(57)【要約】【課題】回転軸にスリーブ胴を挿入、抜き出し自在に嵌合した印刷胴において、スリーブ胴を回転軸にガタ及び振れのない状態で確実に結合できると共に、分離できるようにする。【解決手段】回転軸２０の奥側にスリーブ胴支持テーパー面２５を形成し、スリーブ胴３０の内径部の奥側にテーパー面３８を形成し、スリーブ胴３０を回転軸２０に沿って挿入してテーパー面３８をスリーブ胴支持テーパー面２５に密着して嵌め合わせることで回転軸２０とスリーブ胴３０を連結することで、スリーブ胴３０を回転軸２０にガタ及び振れのない状態で確実に結合でき、スリーブ胴３０を抜き出すことで分離できる。【選択図】図２
2015208969.tif 000002
【特許請求の範囲】
【請求項１】
軸方向一端部が片持ち構造で軸支された回転軸と、
前記回転軸に、当該回転軸の軸方向他端部から挿入、抜き出し自在に嵌合して着脱自在に取り付けたスリーブ胴を備え、
前記回転軸は、当該回転軸のスリーブ胴挿入方向の奥側にスリーブ胴支持テーパー面を有し、
前記スリーブ胴は、当該スリーブ胴の内径部の奥側にテーパー面を有し、
前記スリーブ胴のテーパー面を、前記回転軸のスリーブ胴支持テーパー面に密着して嵌め合わせることでスリーブ胴の奥側と回転軸の奥側を着脱自在に連結したことを特徴とする印刷機の印刷胴。
【請求項２】
前記回転軸は、当該回転軸のスリーブ胴挿入方向の手前側にスリーブ胴支持外周面を有し、
前記スリーブ胴は、当該スリーブ胴の内径部の手前側に軸取付孔を有し、
前記回転軸のスリーブ胴支持外周面と前記スリーブ胴の軸取付孔との間に環状隙間を有し、
前記スリーブ胴に、前記回転軸のスリーブ胴支持外周面と前記スリーブ胴の軸取付孔を摩擦締結する軸締結機構を取り付けた請求項１記載の印刷機の印刷胴。
【請求項３】
前記軸締結機構は、前記回転軸のスリーブ胴支持外周面とスリーブ胴の軸取付孔との間の環状隙間に挿入される締結部と、前記締結部を拡張、収縮する締結ボルトを備え、
前記締結部は、締結ボルトを締め付けることで拡張し、締結ボルトを緩めることで収縮するようにした請求項２記載の印刷機の印刷胴。
【請求項４】
前記回転軸のスリーブ胴支持テーパー面よりも奥側に、スリーブ胴を手前側に押すスリーブ胴押し部材を取り付けた請求項１又は２又は３記載の印刷機の印刷胴。
【請求項５】
前記スリーブ胴押し部材は、回転軸に回転自在に取り付けた回転子と、前記回転子に取り付けたカムを備え、
前記カムは、回転子の回転中心と偏心した円弧状のカム面を有し、回転子が一方向に回転するとカム面がスリーブ胴の軸方向一端面を押すようにした請求項４記載の印刷機の印刷胴。
【請求項６】
前記回転軸のスリーブ胴支持テーパー面よりも奥側と、前記スリーブ胴の奥側とに渡って、スリーブ胴の回転方向の位置を位置決めする位置決め手段を設けた請求項１〜５いずれか１項記載の印刷機の印刷胴。
【請求項７】
前記位置決め手段は、前記回転軸のスリーブ胴支持テーパー面よりも奥側に設けたピンと、前記スリーブ胴の奥側に、前記ピンに向けて開口した溝を備え、
前記溝がピンに嵌まり合うことでスリーブ胴の回転方向の位置を位置決めするようにした請求項６記載の印刷機の印刷胴。
【請求項８】
前記回転軸は、その軸方向一端部が軸心の振れやスラスト荷重の発生しないように片持ち構造で軸支され、
前記スリーブ胴は、中空で内周側に円板状のリブを軸方向に複数設けたアルミ合金の鋳造により成形され、その複数のリブで回転軸に嵌合する内径部を形成し、
このスリーブ胴を回転軸の軸方向他端部から挿入、引き出し自在とした請求項１〜７いずれか１項記載の印刷機の印刷胴。
【請求項９】
前記スリーブ胴は、筒体の内周面に円板状のリブを軸方向に複数有し、その複数のリブで回転軸に嵌合する内径部とすると共に、筒体の内周面に溝加工用凸部と動バランス用凸部を径方向に対称となるように備えたアルミ合金製で、
前記溝加工用凸部に、差し込み式刷版の咥側、咥尻側を差し込む刷版差し込み溝を形成することで版胴とした請求項１〜８いずれか１項記載の印刷機の印刷胴。
【発明の詳細な説明】
【技術分野】
【０００１】
本発明は、印刷胴の径を変えることで天地長さの異なる印刷画像を印刷する印刷機の印刷胴に関する。
【背景技術】
【０００２】
連続紙に天地長さの異なる印刷画像を印刷する印刷機が特許文献1に開示されている。
この印刷機は、スリーブ胴交換式バリアブル印刷機と呼ばれ、回転軸にスリーブ胴を挿入、抜き出し自在に嵌合して着脱自在に取り付けた印刷胴を備え、印刷画像の天地長さごとに径の異なるスリーブ胴を用意しておき、印刷画像の天地長さに応じた径のスリーブ胴を選択して回転軸に取り付けることで連続紙に天地長さの異なる印刷画像を印刷するようにしている。
【先行技術文献】
【特許文献】
【０００３】
【特許文献１】特開２００４−７４５２６号公報
【発明の概要】
【発明が解決しようとする課題】
【０００４】
前述した従来の印刷胴は、スリーブ胴を交換できるようにするために、回転軸にスリーブ胴を挿入、抜き出し自在に嵌合して着脱自在に取り付けているので、スリーブ胴が回転軸の周りを回転したり、軸方向に動くことがないように、スリーブ胴と回転軸を結合して回転軸とスリーブ胴を一体として回転できるようにすること、その結合を解除してスリーブ胴と回転軸を分離してスリーブ胴を回転軸に挿入、抜き出し自在とすることが必要である。
しかし、スリーブ胴を回転軸に挿入、抜き出し自在とすると、スリーブ胴がガタついたり、振れ動いたりすることがある。
【０００５】
本発明は、前述の課題に鑑みなされたものであり、その目的は、回転軸にスリーブ胴を挿入、抜き出し自在に嵌合して着脱自在に取り付けて印刷胴とし、そのスリーブ胴を回転軸にガタ及び振れのない状態で確実に結合できると共に、分離できるようにした印刷機の印刷胴とすることである。
【課題を解決するための手段】
【０００６】
本発明は、軸方向一端部が片持ち構造で軸支された回転軸と、
前記回転軸に、当該回転軸の軸方向他端部から挿入、抜き出し自在に嵌合して着脱自在に取り付けたスリーブ胴を備え、
前記回転軸は、当該回転軸のスリーブ胴挿入方向の奥側にスリーブ胴支持テーパー面を有し、
前記スリーブ胴は、当該スリーブ胴の内径部の奥側にテーパー面を有し、
前記スリーブ胴のテーパー面を、前記回転軸のスリーブ胴支持テーパー面に密着して嵌め合わせることでスリーブ胴の奥側と回転軸の奥側を着脱自在に連結したことを特徴とする印刷機の印刷胴である。
【０００７】
本発明の印刷機の印刷胴は、前記回転軸は、当該回転軸のスリーブ胴挿入方向の手前側にスリーブ胴支持外周面を有し、
前記スリーブ胴は、当該スリーブ胴の内径部の手前側に軸取付孔を有し、
前記回転軸のスリーブ胴支持外周面と前記スリーブ胴の軸取付孔との間に環状隙間を有し、
前記スリーブ胴に、前記回転軸のスリーブ胴支持外周面と前記スリーブ胴の軸取付孔を摩擦締結する軸締結機構を取り付けることができる。
【０００８】
このようにすれば、スリーブ胴の手前側の軸取付孔を回転軸の手前側のスリーブ胴支持外周面に軸締結機構で摩擦締結するので、スリーブ胴の奥側が回転軸の奥側にテーパー面の密着で連結されていることと相俟って、スリーブ胴を回転軸に同心状に正しく保持でき、スリーブ胴を交換した場合のスリーブ胴の正しい保持状態の再現性が高くなり、保持精度が向上する。
このことにより、印刷精度及び印刷品質の向上を図ることができる。
【０００９】
本発明の印刷機の印刷胴は、前記軸締結機構は、前記回転軸のスリーブ胴支持外周面とスリーブ胴の軸取付孔との間の環状隙間に挿入される締結部と、前記締結部を拡張、収縮する締結ボルトを備え、
前記締結部は、締結ボルトを締め付けることで拡張し、締結ボルトを緩めることで収縮することができる。
【００１０】
このようにすれば、締結部を収縮することで、締結部と回転軸のスリーブ胴支持外周面との間に環状隙間を形成することができるから、スリーブ胴を回転軸に挿入、引き出しする作業がやり易い。
【００１１】
本発明の印刷機の印刷胴は、前記回転軸のスリーブ胴支持テーパー面よりも奥側に、スリーブ胴を手前側に押すスリーブ胴押し部材を取り付けることができる。
【００１２】
このようにすれば、スリーブ胴押し部材でスリーブ胴を押すことで、回転軸のスリーブ胴支持テーパー面とスリーブ胴のテーパー面の密着を解除できるから、スリーブ胴を簡単に抜き出すことができる。
【００１３】
本発明の印刷機の印刷胴は、前記スリーブ胴押し部材は、回転軸に回転自在に取り付けた回転子と、前記回転子に取り付けたカムを備え、
前記カムは、回転子の回転中心と偏心した円弧状のカム面を有し、回転子が一方向に回転するとカム面がスリーブ胴の軸方向一端面を押すスリーブ胴押し部材とすることができる。
【００１４】
このようにすれば、回転子を回転工具を用いて回転することでカムのカム面によりスリーブ胴を押すことができるので、スリーブ胴のテーパー面と回転軸のスリーブ胴支持テーパー面の密着を簡単な操作で解除できる。
【００１５】
本発明の印刷機の印刷胴は、前記回転軸のスリーブ胴支持テーパー面よりも奥側と、前記スリーブ胴の奥側とに渡って、スリーブ胴の回転方向の位置を位置決めする位置決め手段を設けることができる。
【００１６】
このようにすれば、スリーブ胴を回転軸に、常に回転方向の位置を同一として取り付けできるから、天地方向の位置を合わせることができる。
【００１７】
本発明の印刷機の印刷胴は、前記位置決め手段は、前記回転軸のスリーブ胴支持テーパー面よりも奥側に設けたピンと、前記スリーブ胴の奥側に、前記ピンに向けて開口した溝を備え、
前記溝がピンに嵌まり合うことでスリーブ胴の回転方向の位置を位置決めする位置決め手段とすることができる。
【００１８】
このようにすれば、スリーブ胴を回転軸に沿って挿入することで、溝がピンに嵌まり合うから、スリーブ胴の回転方向の位置を簡単に位置決めできる。
【００１９】
本発明の印刷機の印刷胴は、前記回転軸は、その軸方向一端部が軸心の振れやスラスト荷重の発生しないように片持ち構造で軸支され、
前記スリーブ胴は、中空で内周側に円板状のリブを軸方向に複数設けたアルミ合金の鋳造により成形され、その複数のリブで回転軸に嵌合する内径部を形成し、
このスリーブ胴を回転軸の軸方向他端部から挿入、引き出し自在とすることができる。
【００２０】
このようにすれば、スリーブ胴を軽量にできるから、回転軸の軸方向他端部から手作業で回転軸に簡単に挿入、抜き出しできるので、スリーブ胴を手作業で容易に交換することができる。
【００２１】
本発明の印刷機の印刷胴は、前記スリーブ胴は、筒体の内周面に円板状のリブを軸方向に複数有し、その複数のリブで回転軸に嵌合する内径部とすると共に、筒体の内周面に溝加工用凸部と動バランス用凸部を径方向に対称となるように備えたアルミ合金製で、
前記溝加工用凸部に、差し込み式刷版の咥側、咥尻側を差し込む刷版差し込み溝を形成することができる。
【００２２】
このようにすれば、スリーブ胴の筒体の肉厚（スリーブ胴の肉厚）よりも刷版差し込み溝を深くして差し込み式刷版の咥側、咥尻側をしっかりと支持できる。
しかも、スリーブ胴の回転バランスを保つことができ、スリーブ胴を高速回転することが可能であるので、高速印刷できる。
【発明の効果】
【００２３】
本発明によれば、スリーブ胴を回転軸に挿入、抜き出し自在に嵌合して印刷胴とし、スリーブ胴を回転軸にガタ及び振れのない状態で確実に結合でき、スリーブ胴を抜き出すことで分離できる。
【図面の簡単な説明】
【００２４】
【図１】印刷機の正面図である。
【図２】図１の版胴取付部分の横断面図である。
【図３】図１のブランケット胴取付部分の横断面図である。
【図４】図２のＡ部拡大図である。
【図５】図４の左側面図である。
【図６】図４のＢ−Ｂ断面図である。
【図７】図２のＣ−Ｃ断面図である。
【図８】差し込み式刷版の取付動作説明図である。
【図９】図３のＤ−Ｄ断面図である。
【図１０】粘着剤付きブランケットの貼付動作説明図である。
【発明を実施するための形態】
【００２５】
図１に示すように、本体フレーム１に版胴２、ブランケット胴３、圧胴４が回転自在に取り付けてある。版胴２、ブランケット胴３が印刷胴である。
図１、図２、図３に示すように、本体フレーム１は各胴の軸方向一側方の一側本体フレーム１ａと、軸方向他側方の他側本体フレーム１ｂを有している。
図２に示すように、版胴２は回転軸２０と、その回転軸２０に挿入、抜き出し自在に嵌合して着脱自在に取り付けたスリーブ胴３０を有している。
【００２６】
図３に示すように、ブランケット胴３は版胴２と同様に、回転軸２０と、その回転軸２０に挿入、抜き出し自在に嵌合して着脱自在に取り付けたスリーブ胴３０を有している。
【００２７】
版胴２の回転軸２０とブランケット胴３の回転軸２０は同様の形状で、版胴２の回転軸２０は図２に示すように一側本体フレーム１ａと他側本体フレーム１ｂに取り付けられ、ブランケット胴３の回転軸２０は図３に示すように一側補助フレーム５０と他側補助フレーム５１に取り付けられるので、ブランケット胴３の回転軸２０が版胴２の回転軸２０よりも長くなっている。
版胴２のスリーブ胴３０とブランケット胴３のスリーブ胴３０は同様の形状で、長さは同一である。
【００２８】
版胴２の回転軸２０の取り付けを図２を参照して説明する。
一側本体フレーム１ａに回転軸２０の軸方向一端部を一端軸受部１０で回転自在に片持ち構造で軸支し、他側本体フレーム１ｂ側から径の異なるスリーブ胴３０と交換することで版胴２の径を変えるようにしてある。
【００２９】
他側本体フレーム１ｂは版胴２及びブランケット胴３の挿入、引き出し用の開口部１１を有していると共に、版胴用の旋回フレーム１２がヒンジ１３で回動自在に取り付けてある。
この版胴用の旋回フレーム１２は他側本体フレーム１ｂの外側面に接して、版胴２の軸方向他端部と対峙した第１の位置と、他側本体フレーム１ｂの外側面と離れて版胴２の軸方向他端部と離隔してスリーブ胴３０を開口部１１から抜き出し可能とする第２の位置とに渡って回動する。
版胴用の旋回フレーム１２は回転軸２０の軸方向他端寄り部分が挿通する孔１４を有すると共に、この孔１４に版胴ハウジング１５が嵌合して取り付けてある。
【００３０】
版胴ハウジング１５に設けた他端軸受部１６で回転軸２０の軸方向他端部が回転自在で、かつ軸方向に挿入、抜き出し自在に支持してある。
そして、版胴ハウジング１５は移動部１７を操作することで版胴用の旋回フレーム１２に接近、離隔する方向に移動する。版胴ハウジング１５は、版胴用の旋回フレーム１２が第１の位置のときに版胴２の軸方向に、他端軸受部１６が回転軸２０の軸方向他端部を支持する支持位置となる位置と、支持を解放する解放位置となる位置とに渡って平行姿勢を維持して移動する。
【００３１】
移動部１７は図１に示すように、版胴ハウジング１５の左右両側に設けてあると共に、版胴２の回転軸２０は版胴ハウジング１５の左右中間に支持され、その左右の移動部１７を操作することで版胴ハウジング１５が回転軸２０の軸方向に平行移動するようにしてある。
【００３２】
このようであるから、版胴ハウジング１５を移動して他端軸受部１６を回転軸２０の軸方向他端部から抜き出し、版胴用の旋回フレーム１２を回動して開口部１１を開放することができる。
そして、回転軸２０は一側本体フレーム１ａに、軸芯の振れやスラスト荷重の発生しない構造にて片持ち構造で軸支され、他側本体フレーム１ｂの開口部１１からスリーブ胴３０を回転軸２０から抜き出し、挿入することができる。
したがって、スリーブ胴３０を径の異なるものに交換できる。
【００３３】
次に、ブランケット胴３の回転軸２０の取り付けを図３を参照して説明する。
図３に示すように、本体フレーム１の一側本体フレーム１ａ、他側本体フレーム１ｂの外側に、一側補助フレーム５０と他側補助フレーム５１が版胴２に接近、離隔する方向に移動自在にそれぞれ設けてある。
例えば、一側本体フレーム１ａの外側面に左右一対の一側リニアガイド５２で一側補助フレーム５０を版胴２に接近、離隔する方向に移動自在に取り付ける。
他側本体フレーム１ｂの外側面に左右一対の他側リニアガイド５３で他側補助フレーム５１を版胴２に接近、離隔する方向に移動自在に取り付ける。
【００３４】
他側補助フレーム５１にブランケット胴用の旋回フレーム５４がヒンジ５５で回動自在に取り付けてある。
このブランケット胴用の旋回フレーム５４は、他側補助フレーム５１の開口部５１ａを閉じブランケット胴３の軸方向他端部と対峙した第１の位置と、前記開口部５１ａを開放しスリーブ胴３０を開口部５１ａから抜き出し可能な第２の位置とに渡って回動する。この開口部５１ａは他側本体フレーム１ｂの開口部１１と対向してブランケット胴３が挿通可能である。
ブランケット胴用の旋回フレーム５４の孔５６にブランケット胴ハウジング５７が嵌合して取り付けてある。
【００３５】
回転軸２０の軸方向一端部は一側本体フレーム１ａの孔５８を貫通して一側補助フレーム５０に一端軸受部６０で回転自在に片持ち構造で軸支してある。
回転軸２０の軸方向他端部は他側本体フレーム１ｂの開口部１１、他側補助フレーム５１の開口部５１ａから軸方向他側方に突出し、その軸方向他端部はブランケット胴ハウジング５７に設けた他端軸受部６１で回転自在で、かつ軸方向に挿入、引き出し自在に支持されている。
そして、ブランケット胴ハウジング５７は、版胴ハウジング１５と同様に、移動部６２を操作することでブランケット胴用の旋回フレーム５４に接近、離隔する方向に移動する。ブランケット胴ハウジング５７は、ブランケット胴用の旋回フレーム５４が第１の位置のときに、他端軸受部６１が回転軸２０の軸方向他端部を支持する支持位置となる位置と、支持を解放する解放位置となる位置とに渡ってブランケット胴３の軸方向に平行移動する。
他端軸受部６１が支持位置のときには回転軸２０の軸方向他端部に嵌合して回転自在に支持し、支持を解放する解放位置のときには回転軸２０の軸方向他端部から抜け出して支持を解放する。
【００３６】
このようであるから、ブランケット胴ハウジング５７を移動して他端軸受部６１を回転軸２０の軸方向他端部から抜き出し、ブランケット胴用の旋回フレーム５４を第２の位置に回動して開口部５１ａを開放することができる。
そして、回転軸２０は一側補助フレーム５０に軸芯の振れやスラスト荷重の発生しない構造にて片持ち構造で軸支され、他側補助フレーム５１の開口部５１ａ、他側本体フレーム１ｂの開口部１１からスリーブ胴３０を回転軸２０から抜き出し、挿入することができる。
したがって、スリーブ胴３０を径の異なるものに交換できる。
【００３７】
図１に示すように、一側補助フレーム５０と他側補助フレーム５１を移動する移動機構５９が本体フレーム１に設けてある。移動機構５９を駆動することで、一側補助フレーム５０と他側補助フレーム５１が移動し、ブランケット胴３が版胴２に接近、離隔するので、版胴２の中心とブランケット胴３の中心との距離が変化する。
これにより、前述したように、版胴２のスリーブ胴３０、ブランケット胴３のスリーブ胴３０を径の異なるものと交換し、版胴２、ブランケット胴３の周長を変えることで、天地長さの異なる印刷画像を印刷するときに、版胴２、ブランケット胴３の径の変化に応じて版胴２の中心とブランケット胴３の中心との距離を変化することで版胴２とブランケット胴３が適切な状態で接触する。
【００３８】
ブランケット胴３の回転軸２０の軸方向両端部を一側・他側補助フレーム５０，５１に回転自在に支持する一端軸受部６０、他端軸受部６１は偏心軸受で、ブランケット胴３を版胴２、圧胴４から離れる方向に移動できるようにしてある。
例えば、他端軸受部６１の軸受箱６１ａの外周面と内周面を偏心させ、その軸受箱６１ａをブランケット胴ハウジング５７の孔５７ａに回転可能に取り付け、その軸受箱６１ａを図示しない回転手段で回転すると回転軸２０が偏心回転することで、ブランケット胴３が版胴２、圧胴４に接近する方向、離れる方向に動くようにする。
一端軸受部６０も同様に、軸受箱６０aを一側補助フレーム５０の孔５０aに回転自在に支承してある。
【００３９】
軸受箱６０ａ，６１ａの回転手段は、軸受箱６０ａ，６１ａにアームを固定し、シリンダや電動モータにより揺動されるリンクをアームを連結することで、リンクの揺動で軸受箱６０ａ，６１ａが回転するものであるが、これに限ることはない。
【００４０】
前述のようにブランケット胴３を版胴２、圧胴４から離れる方向に移動することで、版胴２の版を交換する作業がやり易いと共に、紙通し作業を容易にできる。
【００４１】
圧胴４は図１に示すように、揺動機構４ａで揺動するアーム４ｂに回転自在に取り付けてある。
【００４２】
次に、版胴２の詳細を図２、図４、図５、図６を参照して説明する。
版胴２の回転軸２０は、軸方向一端軸部２１と、軸方向一端寄り軸部２２と、軸方向中間軸部２３と、軸方向他端軸部２４を有する。
軸方向一端軸部２１と軸方向他端軸部２４は軸方向中間軸部２３よりも小径である。軸方向一端軸部２１が一端軸受部１０で一側本体フレーム１ａに支持してあると共に、軸方向他端軸部２４が他端軸受部１６で版胴ハウジング１５に支持してある。
軸方向一端寄り軸部２２は、軸方向一端寄りの大径部２２ａと軸方向他端寄りのテーパー部２２ｂを有している。大径部２２ａと軸方向一端軸部２１とが連続している。テーパー部２２ｂが軸方向中間軸部２３と連続し、テーパー部２２ｂは軸方向他端部から軸方向一端部に向けて順次大径である。
【００４３】
これにより、版胴２の回転軸２０は、軸方向中間軸部２３の軸方向一端寄り、すなわちスリーブ胴３０が挿入される側と反対側であるスリーブ胴挿入方向の奥側（軸方向一端側）にスリーブ胴支持テーパー面２５を有している。
【００４４】
回転軸２０の軸方向他端軸部２４にスリーブ胴３０の軸方向他端部が支持される。
つまり、回転軸２０は、スリーブ胴３０が挿入される側であるスリーブ胴挿入方向の手前側（軸方向他端側）にスリーブ胴支持外周面２６を有している。
【００４５】
回転軸２０の軸方向一端寄り軸部２２のテーパー部２２ｂ、（回転軸２０のスリーブ胴支持テーパー面２５）よりも軸方向一端寄りに、つまり、大径部２２ａにスリーブ胴３０を回転方向に位置決めする位置決め部２７及び、回転軸２０に取り付けたスリーブ胴３０を軸方向他端方、つまりスリーブ胴挿入方向の手前側に押すスリーブ胴押し部材２８がそれぞれ設けてある。
【００４６】
図４と図５に示すように、回転軸２０の軸方向一端寄り部分２２の大径部２２ａにおける軸方向一端寄りに押し部材取付用リング２９が嵌合して固着してある。押し部材取付用リング２９の軸方向他端面２９ａにスリーブ胴３０の軸方向一端面３０ａが当接する。
大径部２２ａの軸方向他端寄りに径方向に向かう穴２７ａを有する。この穴２７ａにピン２７ｂを嵌合して固着し、ピン２７ｂを大径部２２ａの外周面から突出することで、位置決め部２７としてある。
【００４７】
スリーブ胴３０の軸方向一端部に、被位置決め部を有する。実施形態ではスリーブ胴３０の軸方向一端面３０ａに溝２７ｃを有している。溝２７ｃはピン２７ｂに向けて開口し、スリーブ胴３０を挿入することで溝２７ｃがピン２７ｂに嵌合する。これにより、スリーブ胴３０の回転方向の位置が位置決めされる。
つまり、位置決め部２７（ピン２７ｂ）と被位置決め部（溝２７ｃ）とで、スリーブ胴３０の回転方向の位置を位置決めする位置決め手段を構成している。
【００４８】
つまり、スリーブ胴３０を挿入することで、スリーブ胴３０の軸方向一端面３０ａがピン２７ｂに当接し、スリーブ胴３０を回転することにより溝２７ｃがピン２７ｂに嵌合する。
【００４９】
スリーブ胴押し部材２８は、図４〜図６に示すように、回転用工具で回転される回転子２８ａと、回転子２８ａに取り付けたカム２８ｂを備え、回転子２８ａを回転することでカム２８ｂがスリーブ胴３０を軸方向他端方に向けて押す。
押し部材取付用リング２９は不連続なリング形状で、ねじ２９ｆにより連結することで大径部２２ａの外周面に密着して固定される。
押し部材取付用リング２９は、その内周面２９ｂに凹部２９ｃを有し、凹部２９ｃと大径部２２ａとの間に空洞部２９ｄを形成している。
押し部材取付用リング２９は、空洞部２９ｄに開口した孔２９ｅを有し、孔２９ｅに回転子２８ａが回転自在に嵌合して取り付けてある。回転子２８ａは表面に開口した六角穴２８ａ−１を有していると共に、回転子２８ａの裏面にカム２８ｂが固着されている。
カム２８ｂは回転子２８ａの回転中心と偏心した円弧状のカム面２８ｂ−１を有している。そしてカム２８ｂは空洞部２９ｄにおいて回転子２８ａとともに回転する。実施形態では、回転子２８ａに六角穴２８ａ−１を有するプラグを嵌合して取り付けている。
【００５０】
六角レンチ治具を回転子２８ａの六角穴２８ａ−１に嵌合し、六角レンチ治具で回転子２８ａを回転することで、カム２８ｂは図４に点線で示すように空洞部２９ｄ内に収容され、カム面２８ｂ−１が押し部材取付用リング２９の軸方向他端面２９ａよりも軸方向一端寄りに位置し、カム２８ｂはスリーブ胴３０の軸方向一端面３０ａと離れる。
【００５１】
六角レンチ治具で回転子２８ａを前述と反対方向に回転することで、カム２８ｂは図４に仮想線で示すように空洞部２９ｄから突出し、カム面２８ｂ−１が押し部材取付用リング２９の軸方向他端面２９ａよりも軸方向他端に突出し、カム２８ｂがスリーブ胴３０の軸方向一端面３０ａを押す。カム２８ｂの回転はピン２８ｃで規制される。
これにより、カム２８ｂによりスリーブ胴３０を軸方向他端方、つまり手前側に押して移動する。
【００５２】
スリーブ胴３０は、図２に示すように、筒体３１の内周面に中心部分が円形に開口した円板状のリブ３２を軸方向に間隔を置いて複数有し、各リブ３２の円形開口３２ａが回転軸２０の軸方向中間軸部２３の外周面に嵌合する胴本体３３と、この胴本体３３の軸方向一端に取り付けた一側胴枕３４と、胴本体３３の軸方向他端に取り付けた他側胴枕３５と、一側胴枕３４に取り付けたリング３６と、他側胴枕３５に取り付けた軸締結機構３７を備えている。
【００５３】
図４に示すように、一側胴枕３４は胴本体３３の軸方向一端面３３ａの凹陥部３３ｂに嵌合し、図示しないねじで固着してある。
一側胴枕３４の内周面３４ａは、回転軸２０の軸方向一端寄り軸部２２のテーパー部２２ｂに密着して嵌め合うテーパー面である。
これにより、スリーブ胴３０は、回転軸２０に挿入される内径部の軸方向一端寄り、つまりスリーブ胴挿入方向の奥側に、回転軸２０のスリーブ胴支持テーパー面２５に密着して嵌め合うテーパー面３８を有する。
【００５４】
図４、図５に示すように、一側胴枕３４の軸方向一端面３４ｂにリング３６がねじで固着して取り付けてある。リング３６の軸方向一端面３６ａに、ピン２７ｂが嵌合する溝２７ｃが形成され、その軸方向一端面３６ａが押し部材取付用リング２９の軸方向他端面２９ａに接する。
つまり、リング３６の軸方向一端面３６ａがスリーブ胴３０の軸方向一端面３０ａである。
【００５５】
スリーブ胴３０の胴本体３３の軸方向他端部は図２に示すように、回転軸２０の軸方向中間軸部２３の軸方向他端よりも軸方向他端寄りに位置する。そのスリーブ胴３０の軸方向他端部に他側胴枕３５の筒状部３５ａが嵌合し、他側胴枕３５のフランジ部３５ｂをスリーブ胴３０の胴本体３３の軸方向他側面３３ｃにねじ３５ｃで固着してある。他側胴枕３５の筒状部３５ａの内周面が、スリーブ胴３０の回転軸２０に挿入される内径部の軸方向他端寄り、つまり手前側の軸取付孔３９である。
【００５６】
他側胴枕３５の筒状部３５ａの内周面と回転軸２０の軸方向他端軸部２４の外周面は離隔し、その内周面と外周面との間に環状隙間を有している。
これにより、スリーブ胴３０は、回転軸２０に挿入される内径部の軸方向他側寄り、つまり手前側の軸取付孔３９と回転軸２０のスリーブ胴支持外周面２６との間に環状隙間を有している。
【００５７】
軸締結機構３７は、図２に示すように、他側胴枕３５の筒状部３５ａの内周面と回転軸２０の軸方向他端軸部２４の外周面との間の環状隙間に挿入され、拡張、収縮する締結ブッシュである締結部３７ａと、フランジ部３７ｂと、フランジ部３７ｂに設けた締結ボルト３７ｃを有している。フランジ部３７ｂを他側胴枕３５にねじ（図示せず）で固着して取り付けられる。
軸締結機構３７は、締結ボルト３７ｃを締め付けることで締結部３７ａが拡張し、締結ボルト３７ｃを緩めることで締結部３７ａが収縮する。例えば、締結部３７ａのチャンバー内に圧力媒体を封入し、締結ボルト３７ｃを締め付けることで圧力媒体が加圧されて締結部３７ａが拡張し、締結ボルト３７ｃを緩めると圧力媒体が減圧されて締結部３７ａは収縮するハイドロ方式（油圧式）軸ロックとしてある。
【００５８】
このようであるから、締結ボルト３７ｃを締め付けることで他側胴枕３５の筒状部３５ａと回転軸２０の軸方向他端軸部２４を締結部３７ａにより摩擦締結することができる。
締結ボルト３７ｃを緩めることで、締結部３７ａが収縮し、締結部３７ａが回転軸２０の軸方向他端軸部２４の外周面と離隔するので、他側胴枕３５の筒状部３５ａと回転軸２０の軸方向他端軸部２４の締結が解除される。
【００５９】
軸締結機構３７の締結ボルト３７ｃは六角レンチ治具が嵌合する六角穴３７ｃ−１を有している。
この締結ボルト３７ｃの六角穴３７ｃ−１は、スリーブ胴押し部材２８の回転子２８ａに形成した六角穴２８ａ−１と同一寸法である。
これにより、スリーブ胴押し部材２８の回転子２８ａと軸締結機構３７の締結ボルト３７ｃを共用の六角レンチ治具で回転操作できるので、回転軸２０にスリーブ胴３０を取り付け、取り外しする作業がやり易い。
【００６０】
前記胴本体３３はアルミ合金を用いた鋳造により成形され、筒体３１の外周面（外周）及びリブ３２の円形開口３２ａ（内周）を機械加工にて仕上げられた構成になっている。
つまり、胴本体３３は、中空にすると共に内周側に回転軸２０に嵌合する内径部を有する円板状のリブ３２を軸方向に多数設けてアルミ合金を用いた鋳造により成形され、外周及び内周を機械加工にて仕上げられた構成になっている。
【００６１】
前述のように、スリーブ胴３０は、その大部分が中空で、内周に複数のリブ３２を有した形状で、アルミ合金製であるから、版胴２のスリーブ胴３０の重量を軽量化することができるので、そのスリーブ胴３０を回転軸２０に挿入、抜き出して取り付け、取り外しの際のスリーブ胴３０の手作業による取り扱いが容易で、その交換作業の容易化を図ることができる。
なお、スリーブ胴３０は鋼鉄製の一側胴枕３４、他側胴枕３５を用いずに胴本体３３のみとすることができる。この場合には胴本体３３の軸方向一端部（奥側）にテーパー面３８を形成し、軸方向他端部（手前側）に軸取付孔３９を形成する。
【００６２】
図７に示すように、版胴２のスリーブ胴３０（胴本体３３）には、差し込み式刷版５の咥側５ａ、咥尻側５ｂを差し込むための溝としてスリーブ胴３０の外周に軸方向に延びる刷版差し込み溝４０が形成されている。
そして、図８（ａ）に示すように刷版差し込み溝４０に差し込み式刷版５の咥側５ａを挿入し、その差し込み式刷版５を図８（ｂ）に示すようにスリーブ胴３０の外周面に巻き付け、図８（ｃ）に示すように差し込み式刷版５の咥尻側５ｂを刷版差し込み溝４０に挿入することで、差し込み式刷版５をスリーブ胴３０の外周面に取り付ける。
【００６３】
前述の刷版差し込み溝４０は差し込み式刷版５の咥側５ａ、咥尻側５ｂが挿入する深さが必要であるが、前述のようにスリーブ胴３０（筒体３１）の肉厚は、軽量化のために薄いので、スリーブ胴３０の内周面（筒体３１の内周面）に溝加工用凸部４１を軸方向に連続して設け、その溝加工用凸部４１に刷版差し込み溝４０を形成することで、スリーブ胴３０の肉厚が薄くとも所定の深さの刷版差し込み溝４０を形成できるようにしてある。つまり、スリーブ胴３０（筒体３１）の肉厚よりも刷版差し込み溝４０の深さが大きい。
【００６４】
前述のように、スリーブ胴３０の内周面の一部分に溝加工用凸部４１を形成するとスリーブ胴３０の回転バランスが悪くなるので、スリーブ胴３０の内周面における溝加工用凸部４１と径方向に対称位置に動バランス用凸部４２を設け、スリーブ胴３０の回転バランスがとれて安定して回転するようにしてある。
これにより、版胴２を高速回転して高速印刷が可能となる。
【００６５】
次に、版胴２の回転軸２０にスリーブ胴３０を取り付ける作業を説明する。
版胴ハウジング１５を回動して他側本体フレーム１ｂの開口部１１を開放する。
スリーブ胴押し部材２８は、回転子２８ａを回転操作し、カム２８ｂが空洞部２９ｄ内に収容された状態とする。
軸締結機構３７は、締結ボルト３７ｃを緩めて締結部３７ａを収縮することで、軸締結機構３７を締結解除状態とする。
スリーブ胴３０のリング３６、一側胴枕３４を回転軸２０の軸方向他端軸部２４に挿入し、スリーブ胴３０を軸方向一側方、つまり一側本体フレーム１ａに向けて移動することで、スリーブ胴３０のリング３６、一側胴枕３４を回転軸２０の軸方向中間軸部２３に沿って軸方向一側方に移動する。
【００６６】
そして、スリーブ胴３０の一側胴枕３４の内周面３４ａ（テーパー面３８）を、回転軸２０の軸方向一端寄り軸部２２のテーパー部２２ｂ（スリーブ胴支持テーパー面２５）に密着して嵌め合い、リング３６の軸方向一端面３６ａ（スリーブ胴３０の軸方向一端面３０ａ）を押し部材取付用リング２９の軸方向他端面２９ａに接する。
このとき、リング３６の溝２７ｃをピン２７ｂに嵌合してスリーブ胴３０を回転方向に位置決めする。
【００６７】
このようであるから、スリーブ胴３０の奥側は回転軸２０の奥側にガタ及び振れのない状態で確実に固定される。
【００６８】
また、軸締結機構３７の締結部３７ａは収縮し、締結部３７ａと回転軸２０の軸方向他端軸部２４（スリーブ胴支持外周面２６）とが環状隙間を有して対向するので、スリーブ胴３０を回転軸２０に沿って挿入し易い。
【００６９】
スリーブ胴３０を奥側まで挿入した状態で、軸締結機構３７の締結ボルト３７ｃを締め付け、締結部３７ａを拡張し、スリーブ胴３０の他側胴枕３５を回転軸２０の軸方向他端軸部２４に軸締結機構３７で摩擦締結する。
【００７０】
このように、スリーブ胴３０の奥側が回転軸２０の奥側にガタ及び振れのない状態で固定され、スリーブ胴３０の手前側が回転軸２０の手前側に摩擦締結されるので、スリーブ胴３０を回転軸２０と同心状に保持することができ、その保持状態の再現性が高くなり保持精度が向上し、さらには印刷精度、印刷品質も向上する。
しかも、一側胴枕３４の内周面３４ａをテーパー部２２ｂに嵌合し、手前側から締結ボルト３７ｃを締め付けるだけであるから、スリーブ胴３０と回転軸２０を簡単に連結できる。
【００７１】
スリーブ胴３０を回転軸２０から取り外しする場合には、軸締結機構３７の締結ボルト３７ｃを緩め、締結部３７ａを収縮することで、締結部３７ａと回転軸２０の軸方向他端軸部２４との間に環状隙間を形成する。
そして、スリーブ胴３０を手前側に引くことで、スリーブ胴３０を回転軸２０に沿って軸方向他端方に移動して取り外しする。
【００７２】
このとき、スリーブ胴３０の一側胴枕３４の内周面３４ａが回転軸２０の軸方向一端寄り軸部２２のテーパー部２２ｂに密着しているので、スリーブ胴３０を大きい力で手前側に引くことで内周面３４ａとテーパー部２２ｂの密着を解除しなければならず、その作業が面倒である。あるいはスリーブ胴３０を大きい力で手前側に引いてもテーパー部２２ｂと内周面３４ａの密着を解除できない場合がある。
このような場合には、スリーブ胴押し部材２８の回転子２８ａを六角レンチ治具で回転し、カム２８ｂのカム面２８ｂ−１を空洞部２９ｄから突出し、カム面２８ｂ−１をリング３６の軸方向一端面３６ａ、つまりスリーブ胴３０の軸方向一端面３０ａに押しつけることで、カム２８ｂによりスリーブ胴３０を軸方向他端方、つまり手前側に押す。
【００７３】
これにより、スリーブ胴３０の一側胴枕３４の内周面３４ａ（テーパー面３８）と回転軸２０の軸方向一端寄り軸部２２のテーパー部２２ｂ（スリーブ胴支持テーパー面２５）の密着状態を簡単に解除し、スリーブ胴３０を手前側に引いて取り外しできる。
【００７４】
次にブランケット胴３について説明する。
ブランケット胴３の回転軸２０は、図３に示すように軸方向一端軸部２１、軸方向一端寄り軸部２２、軸方向中間軸部２３、軸方向他端軸部２４を有する。軸方向一端寄り軸部２２は大径部２２ａとテーパー部２２ｂを有している。
軸方向一端寄り軸部２２の大径部２２ａに押し部材取付用リング２９が嵌合して固定してある。押し部材取付用リング２９にスリーブ胴押し部材２８が取り付けてある。
軸方向一端寄り軸部２２の大径部２２ａに位置決め部２７であるピン２７ｂが取り付けてある。
つまり、ブランケット胴３の回転軸２０は、版胴２の回転軸２０と同一である。
【００７５】
ブランケット胴３のスリーブ胴３０は前述の版胴２のスリーブ胴３０と同様に、筒体３１と複数の円板状のリブ３２より成るアルミ合金製の胴本体３３と、鋼鉄製の一側胴枕３４、他側胴枕３５を備え、一側胴枕３４の内周面３４ａがテーパー面３８で、他側胴枕３５の内周面が軸取付孔３９である。
他側胴枕３５に軸締結機構３７が取り付けてある。
【００７６】
このようであるから、ブランケット胴３のスリーブ胴３０を、版胴２のスリーブ胴３０と同様に回転軸２０に確実に結合でき、しかも手作業で容易に挿入、抜き出しできるから、その交換作業の容易化を図ることができる。
【００７７】
ブランケット胴３のスリーブ胴３０（胴本体３３）の外周面には図９に示すように、ブランケット切断Ｖ溝部４３が軸方向に連続して形成してある。
そして、図１０（ａ）に示すように粘着剤付きブランケット６の一端縁６ａをブランケット切断Ｖ溝部４３に沿って貼り付け、そのＶ溝部４３を基準として粘着剤付きブランケット６をスリーブ胴３０の外周面に貼り付け、その粘着剤付きブランケット６をスリーブ胴３０の外周面に巻きつけ、図１０（ｂ）に示すように粘着剤付きブランケット６の他端縁６ｂをブランケット切断Ｖ溝部４３を越え、他端縁６ａに貼り付ける。
【００７８】
この状態で、切断用カッター刃７をブランケット切断Ｖ溝部４３に沿って軸方向に移動することで粘着剤付きブランケット６を、そのＶ溝部４３で切断し、図１０（ｃ）に示すようにスリーブ胴３０の外周面に粘着剤付きブランケット６を貼り合わせる。
【００７９】
このようであるから、粘着剤付きブランケット６を、その一端縁６ａと切断縁６ｃが重なり合うことがないように貼り合わせることができる。
しかも、切断用カッター刃７をブランケット切断Ｖ溝部４３に沿って移動すれば良いから、その作業が容易である。
【符号の説明】
【００８０】
２…版胴、３…ブランケット胴、５…差し込み刷版、５ａ…咥側、５ｂ…咥尻側、２０…回転軸、２５…スリーブ胴支持テーパー面、２６…スリーブ胴支持外周面、２７…位置決め部、２７ｂ…ピン、２８…スリーブ胴押し部材、２８ａ…回転子、２８ｂ…カム、２８ｂ−１…カム面、３０…スリーブ胴、３１…筒体、３２…リブ、３３…胴本体、３４…一側胴枕、３５…他側胴枕、３７…軸締結機構、３７ａ…締結部、３７ｃ…締結ボルト、３８…テーパー面、３９…軸取付孔、４０…刷版差し込み溝、４１…溝加工用凸部、４２…動バランス用凸部。
【図１】
2015208969.tif 000003
【図２】
2015208969.tif 000004
【図３】
2015208969.tif 000005
【図４】
2015208969.tif 000006
【図５】
2015208969.tif 000007
【図６】
2015208969.tif 000008
【図７】
2015208969.tif 000009
【図８】
2015208969.tif 000010
【図９】
2015208969.tif 000011
【図１０】
2015208969.tif 000012